【事件の表示】
　特願２０１２−　　８５８８「タッチパネル式入力装置」拒絶査定不服審判事件〔平成２５年　８月　１日出願公開、特開２０１３−１４９０４９〕について、次のとおり審決する。
【結　論】
　本件審判の請求は、成り立たない。
【理　由】
第１　手続きの経緯
　本願は、平成２４年１月１９日の出願であって、平成２７年１０月７日付けで拒絶理由が通知され、これに対し、平成２７年１２月１１日付けで手続補正がされ、平成２８年３月２９日付けで拒絶査定がなされ、これに対し、平成２８年７月４日に拒絶査定不服審判の請求がなされ、同時に手続補正がされたものである。
第２　平成２８年７月４日付の手続補正についての補正却下の決定
　［補正却下の決定の結論］
　平成２８年７月４日付の手続補正（以下、「本件補正」という。）を却下する。
 　［理由］
（１）補正の内容
　本件補正は、請求項１を、
「【請求項１】
　キーボードを表示して入力を行うタッチパネルと、
　前記タッチパネル上にキーを表示する表示制御部と、
　前記タッチパネル上に指が接触した位置を検知する接触検知部と、
　接触した位置から入力されたキーを判定する入力判定部と、
　前記タッチパネルに対して離接する指の位置および前記タッチパネルからの距離を検知する３次元センサとを備え、
　前記表示制御部は、
　　前記３次元センサが接近する指を検知したときにその位置を中心としてキーを拡大して表示すると共に、前記接触検知部が指の接触を検知したときにキーを標準の大きさに戻
し、
　　
前記接近する指を検知したときにその位置を中心としてキーを拡大して表示する際には、当該位置を含む前記キーボードの一部に含まれる複数のキーのそれぞれを同じ拡大率で拡大して表示し、当該キーボードの他部に含まれる複数のキーは拡大しない
ことを特徴とするタッチパネル式入力装置。」と補正する補正事項を含むものである。（下線は、補正箇所を示す。）
（２）補正の適否
　本件補正の上記補正事項は、補正前の請求項１を引用する請求項５の「キーを拡大して表示する際に、部分的に拡大して表示する、または全体的に拡大する」について、択一的な記載である「または全体的に拡大する」を削除し、「キーを拡大して表示する際に、部分的に拡大して表示する」を「前記接近する指を検知したときにその位置を中心としてキーを拡大して表示する際には、当該位置を含む前記キーボードの一部に含まれる複数のキーのそれぞれを同じ拡大率で拡大して表示し、当該キーボードの他部に含まれる複数のキーは拡大しない」と限定するものであって、補正前の請求項５に記載した発明と補正後の請求項１に記載した発明の産業上の利用分野及び解決しようとする課題が同一であるから、特許法第１７条の２第５項第２号に規定する特許請求の範囲の減縮を目的とするものに該当する。
　また、特許法第１７条の２第３項、第４項に違反するところはない。
　そこで、本件補正後の前記請求項１に記載された発明（以下、「補正発明」という。）が、特許法第１７条の２第６項において準用する同法第１２６条第７項の規定に適合するか（特許出願の際独立して特許を受けることができるものであるか）について以下に検討する。
ア．引用文献
（１）引用文献・引用発明
　原査定の拒絶の理由に引用された国際公開第２００９／０６９３９２号（以下、「引用文献」という。）には、以下の記載がある。（下線は当審において注目する部分を示す。）
ａ．「［００２５］（第１実施形態） 
図１は、本発明の第１実施形態における端末の構成を示すブロック図である。
［００２６］［構成の説明］ 
図１において、端末１００は、ディスプレイ装置１０１と、タッチパネル装置１０２と、ソフトウェアキーボード制御部１０３と、表示制御部１０４と、選択候補キー記憶部１０５とを含む。ソフトウェアキーボード制御部１０３と、表示制御部１０４と、選択候補キー記憶部１０５は、制御部１０６に含まれる。
・・・中略・・・
［００３７］ディスプレイ装置１０１は、ユーザに対して情報を表示する。例えば、ディスプレイ装置１０１は、複数のオブジェクトを表示する。本実施形態では、ディスプレイ装置１０１は、複数のキーからなるソフトウェアキーボードを表示する。各キーは、一般的にオブジェクトと呼ぶことができる。なお、オブジェクトは、ソフトウェアキーボードのキーに限らず適宜変更可能である。
［００３８］ディスプレイ装置１０１での表示の内容は、表示制御部１０４によって任意に変更可能である。
［００３９］タッチパネル装置１０２は、一般的に検出手段と呼ぶことができる。
［００４０］タッチパネル装置１０２は、ユーザによって指示された、ディスプレイ装置１０１上の位置を検出する。
［００４１］タッチパネル装置１０２は、ディスプレイ装置１０１上に設置される。ディスプレイ装置１０１上の座標は、タッチパネル装置１０２上の座標と対応づけられている。
［００４２］タッチパネル装置１０２は、ユーザが指またはスタイラス等の物体でタッチパネル装置１０２に接触した位置を示す座標を、電極抵抗膜や赤外線などを用いて検知する。
［００４３］タッチパネル装置１０２は、物体が接触した場合、その接触位置（座標）を、ユーザによって指示されたディスプレイ装置１０１上の位置（座標）として検出する。
［００４４］タッチパネル装置１０２は、ユーザが端末１００に対して様々な入力をする際に用いられる。具体的には、ユーザは、選択したいキー（オブジェクト）を、タッチパネル装置１０２を介して押すことによって、そのオブジェクトの入力を行う。
　・・・中略・・・
［００４６］ソフトウェアキーボード制御部１０３は、タッチパネル装置１０２への入力を検知し、入力内容に応じて、ソフトウェアキーボードの表示を制御する。
［００４７］　例えば、ソフトウェアキーボード制御部１０３は、ソフトウェアキーボードが有する複数のキーのそれぞれの位置を管理する。
［００４８］ソフトウェアキーボード制御部１０３は、タッチパネル装置１０２によって検出された位置に存在するキーを、被検出キーとして特定する。なお、被検出キーは、一般的に被検出オブジェクトと呼ぶことができる。」
ｂ．「［０１０３］　＜リリース時の表示＞
図６は、ユーザがタッチパネル装置１０２から指を離したときの動作を説明するためのフローチャートである。
［０１０４］
ユーザがタッチパネル装置１０２から指を離すと、
タッチパネル装置１０２は、タッチ位置との接触が開放されたことを示す開放情報を、ソフトウェアキーボード制御部１０３に渡す
・・・中略・・・
［０１０７］　
開放の直前に選択候補として選定されていたキー２０２ａがある場合、ソフトウェアキーボード制御部１０３は、選択候補のキー２０２ａに対応する文字が選択されて入力されたと判断し、ステップ６０３で、キーボード入力を待っているアプリケーションソフト（例えば、ワープロソフトウェア）に、入力文字を渡す。
［０１０８］　
また、ソフトウェアキーボード制御部１０３は、ソフトウェアキーボード２０２の配置をデフォルト（図２に示した状態）に戻すために、表示制御部１０４に、ソフトウェアキーボード２０２のデフォルトの配置を示す情報を渡す。
［０１０９］　続いて、ステップ６０４で、
表示制御部１０４は、渡されたデフォルトのキーボード配置に応じて、ソフトウェアキーボード２０２の表示をデフォルトの状態に変更する。
ｃ．「［０１７１］（第５実施形態）
 
本発明の第５実施形態は、その基本的構成は第１実施形態と同様であるが、入力デバイスとして単純なタッチパネル装置１０２ではなく、指が接近したことを検知できる接近検出装置９０１も利用される。
［０１７２］　図１１は、第５実施形態における端末１００Ｄの構成を示すブロック図である。なお、図１１において、図１に示したものと同一のものには同一符号を付してある。以下、第５実施形態について、第１実施形態との相違点を中心に説明する。
［０１７３］　接近検出装置９０１は、一般的に接近検出手段と呼ぶことができる。
［０１７４］　
接近検出装置９０１は、タッチパネル装置１０２と同様にディスプレイ装置１０１上に設置される。
［０１７５］　
接近検出装置９０１は、ディスプレイ装置１０１に接近する指（物体）とディスプレイ装置１０１との距離を検出する。また、接近検出装置９０１は、ディスプレイ装置１０１上の位置のうち、指と最も近い位置（座標）を、ディスプレイ装置１０１上の指示された位置（座標）として検出する。
［０１７６］　なお、
接近検出装置９０１は
カメラによって実現される。
［０１７７］　ソフトウェアキーボード制御部１０３Ｄは、一般的に形状制御手段と呼ぶことができる。
［０１７８］　
ソフトウェアキーボード制御部１０３Ｄは、タッチパネル装置１０２と接近検出装置９０１の出力に基づいて、ソフトウェアキーボード２０２の表示を制御する。
［０１７９］　制御部１０６Ｄは、一般的に制御手段と呼ぶことができる。
［０１８０］　
制御部１０６Ｄは、ディスプレイ装置１０１に接近する指とディスプレイ装置１０１との距離に応じて、複数のキー２０２ａの表示サイズを制御する。
・・・中略・・・
［動作の説明］
ディスプレイ装置１０１の通常時の表示は、第１実施形態と同様で、図２に示される通りである。
［０１８３］　図１２は、端末１００Ｄの動作を説明するためのフローチャートである。
［０１８４］　以下、図１２を用いて端末１００Ｄの動作を説明する。
［０１８５］　ユーザが、ディスプレイ装置１０１に指を近づけると、ステップ１２０１で、接近検出装置９０１が指の位置を検出する
［０１８６］　
具体的には、接近検出装置９０１は、指とディスプレイ装置１０１の間の距離と、指の直下に対応するタッチパネル装置１０２上の位置（以下「接近位置」と称する）の座標（以下「接近座標」と称する。）を検出する。接近検出装置９０１は、検出された距離と接近座標の情報（接近座標情報）を、ソフトウェアキーボード制御部１０３Ｄに渡す。
［０１８７］　続いて、ステップ１２０２で、ソフトウェアキーボード制御部１０３Ｄは、接近座標情報にて示される近接座標がディスプレイ装置１０１に表示されているソフトウェアキーボード２０２上の座標であるかどうかを判定する。
［０１８８］　
接近座標がソフトウェアキーボード２０２上にある場合、ソフトウェアキーボード制御部１０３Ｄは、ソフトウェアキーボード２０２の表示を変更する必要があると判断する。
［０１８９］　一方、近接座標がソフトウェアキーボード２０２上に無ければ、ソフトウェアキーボード制御部１０３Ｄは、ソフトウェアキーボード２０２の表示の変更は不要と判定し、表示変更動作を行わず動作を終了する。
［０１９０］　
接近座標がソフトウェアキーボード２０２上にある場合、ステップ１２０３で、ソフトウェアキーボード制御部１０３Ｄは、各キー２０２ａの表示位置および表示サイズの再計算を行う。
［０１９１］　
ソフトウェアキーボード制御部１０３Ｄは、キー２０２ａの表示サイズについては、ユーザの指からディスプレイ装置１０１までの距離と、接近座標から各キー２０２ａまでの距離に応じて変更する。
［０１９２］　
例えば、ソフトウェアキーボード制御部１０３Ｄは、指からディスプレイ装置１０１までの距離が短いほどキー２０２ａの表示サイズ（または拡大率）が大きくなり、また、接近座標からキー２０２ａまでの距離が短いほどキー２０２ａの表示サイズ（または拡大率）が大きくなるように、キー２０２ａの表示サイズを計算する。
［０１９３］　また、ソフトウェアキーボード制御部１０３Ｄは、それぞれのキー２０２ａが互いに大きく重ならないように（例えば、それぞれのキー２０２ａが互いに重ならないように、または、または、各キー２０２ａの重なりが２０％以下となるように）、各キー２０２ａの表示位置を計算して、キー２０２ａごとの座標を決定する。なお、２０％という数値は適宜変更可能である。
［０１９４］　例えば、ソフトウェアキーボード制御部１０３Ｄは、第１実施形態と同様に、キー２０２ａのサイズを、接近座標を中心とした二次元ガウス分布の確率密度関数（式１）を利用し、二次元ガウス分布の標準偏差σを、指からディスプレイ装置１０１までの距離に連動して定めてもよい。
［０１９５］　すなわち、ソフトウェアキーボード制御部１０３Ｄは、指がディスプレイ装置１０１に近づくほどσが小さく、指がディスプレイ装置１０１から離れるほどσが大きくなるように、（式１）を定めてもよい。
［０１９６］　これにより、ユーザは、指とディスプレイ装置１０１との距離を視覚的に把握できるようになる。
［０１９７］　
ソフトウェアキーボード制御部１０３Ｄは、指の直下座標（接近座標）が、いずれかのキー２０２ａの表示領域に含まれるかどうかを判定する。
［０１９８］　
指の直下座標がいずれかのキー２０２ａの表示領域に含まれる場合には、ソフトウェアキーボード制御部１０３Ｄは、指の直下座標を表示領域に含むキー２０２が選択候補として選定されているものと判断して、選択候補キー記憶部１０５に、該当のキー２０２ａを表すキー情報を記憶する。
［０１９９］　
続いて、ソフトウェアキーボード制御部１０３Ｄは、キー２０２ａごとに、表示位置を表す座標情報と、表示サイズを表すサイズ情報とを、表示制御部１０４に渡す。
［０２００］　
続いて、ステップ１２０４で、表示制御部１０４は、各キー２０２ａの表示を、キーごとの座標情報およびサイズ情報に基づいて変更する。
［０２０１］　また、ステップ１２０３において、選択候補として選定されていると判定されたキー２０２ａがある場合、ソフトウェアキーボード制御部１０３Ｄは、該当するキー２０２ａを強調表示するための強調情報を生成する。
［０２０２］　続いて、ソフトウェアキーボード制御部１０３Ｄは、強調情報を、表示制御部１０４に提供する。
［０２０３］　表示制御部１０４は、強調情報を受け付けると、その強調情報に基づいて、選択されたキー２０２ａを強調表示する。
［０２０４］　この場合、選択キーの視認性を高めることができる。
［０２０５］　上記の処理は、ユーザの指が移動されるごとに実行され、ソフトウェアキーボード２０２の表示はリアルタイムに変更される。
［０２０６］　
上記ステップの動作中にユーザの指がディスプレイ装置１０１に接触した場合は、第１実施形態と同様の動作が実行される。
［０２０７］　
すなわち、指が移動するにつれて、指の周辺のキーが大きく（拡大率が大きく）、遠方のキーが小さく（拡大率が小さく）なり、指を離した時点で選択候補として選定されていたキーが選択されて入力される。
［０２０８］　
本実施形態によれば、制御部１０６Ｄは、接近検出装置９０１が検出した、指とディスプレイ装置１０１との距離に応じて、複数のキーの表示サイズを制御する。
［０２０９］　このため、ユーザは、指とディスプレイ装置１０１との距離を視覚的に把握できるようになる。
［０２１０］　また、ソフトウェアキーボード制御部１０３Ｄは、キー２０２ａが指で選択候補として選定されている状況が一定時間継続した場合、選択候補のキー２０２ａに対応する文字が選択されて入力されたものと確定し、キーボード入力を待っているアプリケーションソフトに、入力文字を渡してもよい。」
　上記下線部の記載から、引用文献には、第５実施形態の入力装置（「発明の名称」等の記載。）について、次の発明（以下、「引用発明」という。）が記載されているといえる。
「接近検出装置９０１は、タッチパネル装置１０２と同様にディスプレイ装置１０１上に設置され、
　上記接近検出装置９０１は、例えば、カメラによって実現され、ディスプレイ装置１０１に接近する指（物体）とディスプレイ装置１０１との距離と、ディスプレイ装置１０１上の位置のうち、指と最も近い位置（座標）を、ディスプレイ装置１０１上の指示された位置（座標）として検出し、
　ソフトウェアキーボード制御部１０３Ｄは、タッチパネル装置１０２と接近検出装置９０１の出力に基づいて、ソフトウェアキーボード２０２の表示を制御し、
　ユーザが、ディスプレイ装置１０１に指を近づけると、指とディスプレイ装置１０１の間の距離と、指の直下に対応するタッチパネル装置１０２上の位置（以下「接近位置」と称する）の座標（以下「接近座標」と称する。）を検出し、検出された距離と接近座標の情報（接近座標情報）を、ソフトウェアキーボード制御部１０３Ｄに渡し、
　ソフトウェアキーボード制御部１０３Ｄは、接近座標情報にて示される近接座標がディスプレイ装置１０１に表示されているソフトウェアキーボード２０２上の座標であるかどうかを判定し、接近座標がソフトウェアキーボード２０２上にある場合、キー２０２ａの表示サイズについて、ユーザの指からディスプレイ装置１０１までの距離と、接近座標から各キー２０２ａまでの距離に応じて変更、例えば、指からディスプレイ装置１０１までの距離が短いほどキー２０２ａの表示サイズ（または拡大率）が大きくなり、また、接近座標からキー２０２ａまでの距離が短いほどキー２０２ａの表示サイズ（または拡大率）が大きくなるように、キー２０２ａの表示サイズを計算し、また、それぞれのキー２０２ａが互いに大きく重ならないように、各キー２０２ａの表示位置を計算して、キー２０２ａごとの座標を決定し、指の直下座標（接近座標）が、いずれかのキー２０２ａの表示領域に含まれるかどうかを判定し、指の直下座標がいずれかのキー２０２ａの表示領域に含まれる場合には、指の直下座標を表示領域に含むキー２０２が選択候補として選定されているものと判断して、選択候補キー記憶部１０５に、該当のキー２０２ａを表すキー情報を記憶し、キー２０２ａごとに、表示位置を表す座標情報と、表示サイズを表すサイズ情報とを、表示制御部１０４に渡し、
　表示制御部１０４は、各キー２０２ａの表示を、キーごとの座標情報およびサイズ情報に基づいて変更し、
　ユーザの指がディスプレイ装置１０１に接触した場合は、指が移動するにつれて、指の周辺のキーが大きく（拡大率が大きく）、遠方のキーが小さく（拡大率が小さく）なり、指を離した時点で選択候補として選定されていたキーが選択されて入力され、表示制御部１０４は、ソフトウェアキーボード２０２の配置をデフォルトに戻す、入力装置。」
（２）周知技術を示す文献
（ａ）拒絶査定において引用された国際公開２０１１／１１８６０２号（以下、「周知文献１」という。）には、以下の記載がある。
「［００２６］　これにより、キーボードの各キーの内、ユーザが意図したキーが選択しやすくなり、通常リリース時点で文字が確定するところを、タッチ時点での確定を可能とし、ユーザーの文字入力の利便性を向上するとともに高速なキー入力を可能とする。」
「［００２８］　こうすることで、目的のキーが選択しやすくなり、通常リリース時点で文字が確定するところを、タッチ時点での確定を可能となり、ユーザーがキーボード画面を用いて文字入力する際の利便性が大幅に向上するとともに高速なキー入力が可能となる。」
（ｂ）拒絶査定において引用された特開２００５−３５２９２４号公報（以下、「周知文献２」という。）には、以下の記載がある。
「【００４４】
　以上のように、本実施の形態によれば、ユーザ操作領域に対する接触操作（第１のユーザアクセス）によりボタンを拡大表示するなどしてどのボタンが操作されているのかをユーザに確認させ、更にその接触操作に続いて行われるユーザ操作領域に対する押下操作（第２のユーザアクセス）により入力確定させる。ユーザからしてみれば、押下により入力を確定させる前にボタンに接触した時点で押下しようとしているボタンが拡大表示されるので、誤入力を防止することができる。仮に、ボタンを押下する前に、すなわちユーザ操作領域に接触した時点で誤ったボタンを操作しようとしていることを視認した場合には、操作をやり直せばよい。この際に指先が液晶画面３から離れたとしても、この操作を入力確定操作とみなされることはない。」
「【００６９】
　すなわち、本実施の形態においては、図１４（ａ）に示したように、タッチパネル４０に近づいて接触しようとした指先が静電容量の変化により検出されたとき、その接触しようとした非接触操作を第１のユーザアクセスとして検出する。そして、図１４（ｂ）に示したように、指先がタッチパネル４０に更に近づきタッチパネル４０に接触したとき、この接触操作を第２のユーザアクセスとして検出する。この第２のユーザアクセスの検出に関しては、実施の形態２と同じである。」
　上記周知文献１、２の記載によれば、「タッチパネルに表示されたソフトウェアキーボードの各キーに対するユーザによる接触を検知したときに、当該キーの入力を確定する技術」（以下、「周知技術１」という。）は、本出願前周知の技術と認められる。
（ｃ）当審において新たに引用する特開２００６−３１４９９号公報（以下、「周知文献３」という。）には、図３とともに以下の記載がある。
「【００２４】
　次に、図３を参照しながら、本実施形態における情報入力表示装置の拡大表示の表示例を説明する。ユーザが選択アイコン５０ａに指を近づけると、制御装置４は、赤外線スイッチ３によりアイコン選択物体の接近を検出し、表示画面１０の画面表示を、検出されたアイコン選択物体の位置近傍の選択アイコン５０ａを拡大表示する拡大表示画面に切り換える。拡大表示画面で拡大する範囲は任意に設定できるが、図３（ｂ）に示す例では、指を近づけた選択アイコン「て」を中心として１つ隣の選択アイコン５０ａまで拡大表示している。」
（ｄ）拒絶の理由に引用された特開２００６−８５２１８号公報（以下、「周知文献４」という。）には、図７（ｂ）とともに以下の記載がある。
「【００３１】
　一方で、操作ボタン等の表示面積が接触面積よりも小さい場合（ステップＳ．１６のＮＯの場合）、ＣＰＵ８は、該当するディスプレイ画面２ａ上の位置の操作ボタンが拡大サイズの操作ボタン等に置き換えられた表示画像を、ディスプレイ部２に表示させるように画像処理部３を制御する（ステップＳ．１７）。例えば、図７（ｂ）左図に示す表示画面において、操作者の指１１が閾値以下の距離までディスプレイ画面２ａの操作ボタン等９ｂに近づいた場合、ＣＰＵ８は、操作ボタン９ｂの表示面積が指１１の先端の接触面積よりも小さいと判断して、図７（ｂ）右図に示すように操作ボタン９ｂを拡大表示させる。」
　上記周知文献３（図３）、４（図７ｂ）の記載によれば、「接近する指を検知したときにキーを拡大して表示する際に、キーボードの一部に含まれる複数のキーのそれぞれを同じ拡大率で拡大して表示し、当該キーボードの他部に含まれる複数のキーは拡大しない技術」（以下、「周知技術２」という。）は、本出願前周知の技術と認められる。
イ．対比
　補正発明と引用発明を対比する。
（ア）引用発明の「タッチパネル装置１０２」は、「ディスプレイ装置１０１上に設置され」ており、「ディスプレイ装置１０１」には、「ソフトウェアキーボード２０２が表示され」、「ソフトウェアキーボード２０２」の「各キー２０２ａ」で入力を行うことは明かであるから、引用発明の「ソフトウェアキーボード２０２」、「ディスプレイ装置１０１」と「タッチパネル装置１０２」は、それぞれ、補正発明の「キーボード」、「キーボードを表示して入力を行うタッチパネル」に相当する。
（イ）引用発明の「表示制御部１０４」は、「各キー２０２ａの表示を、キーごとの座標情報およびサイズ情報に基づいて変更」しているから、補正発明の「前記タッチパネル上にキーを表示する表示制御部」に相当する。
（ウ）引用発明の「タッチパネル装置１０２」は、補正発明の「前記タッチパネル上に指が接触した位置を検知する接触検知部」に相当する。
（エ）引用発明の「接近検出装置９０１」は、「例えば、カメラによって実現され、ディスプレイ装置１０１に接近する指（物体）とディスプレイ装置１０１との距離と、ディスプレイ装置１０１上の位置のうち、指と最も近い位置（座標）を、ディスプレイ装置１０１上の指示された位置（座標）として検出」するから、補正発明の「前記タッチパネルに対して離接する指の位置および前記タッチパネルからの距離を検知する３次元センサ」に相当するといえる。
（オ）引用発明の「接近座標情報にて示される近接座標がディスプレイ装置１０１に表示されているソフトウェアキーボード２０２上の座標であるかどうかを判定し、接近座標がソフトウェアキーボード２０２上にある場合、キー２０２ａの表示サイズについて、ユーザの指からディスプレイ装置１０１までの距離と、接近座標から各キー２０２ａまでの距離に応じて変更、例えば、指からディスプレイ装置１０１までの距離が短いほどキー２０２ａの表示サイズ（または拡大率）が大きくなり、また、接近座標からキー２０２ａまでの距離が短いほどキー２０２ａの表示サイズ（または拡大率）が大きくなるように、キー２０２ａの表示サイズを計算し、」「キー２０２ａごとに、表示位置を表す座標情報と、表示サイズを表すサイズ情報とを、表示制御部１０４に渡」す「ソフトウェアキーボード制御部１０３Ｄ」と、「各キー２０２ａの表示を、キーごとの座標情報およびサイズ情報に基づいて変更し」、「指を離した時点で選択候補として選定されていたキーが選択されて入力され」ると「ソフトウェアキーボード２０２の配置をデフォルトに戻す」「表示制御部１０４」とは、補正発明の「前記３次元センサが接近する指を検知したときにその位置を中心としてキーを拡大して表示すると共に、前記接触検知部が指の接触を検知したときにキーを標準の大きさに戻し、前記接近する指を検知したときにその位置を中心としてキーを拡大して表示する際には、当該位置を含む前記キーボードの一部に含まれる複数のキーのそれぞれを同じ拡大率で拡大して表示し、当該キーボードの他部に含まれる複数のキーは拡大しない」「表示制御部」と、「前記３次元センサが接近する指を検知したときにその位置を中心としてキーを拡大して表示すると共に、後にキーを標準の大きさに戻し、前記接近する指を検知したときにその位置を中心としてキーを拡大して表示する際には、当該位置を含む前記キーボードの一部に含まれる複数のキーのそれぞれを拡大して表示し、当該キーボードの他部に含まれる複数のキーは拡大しない」「表示制御部」である点では共通するといえる。
（カ）引用発明の「表示制御部１０４」は、から、補正発明の「表示制御部は、」「接触検知部が指の接触を検知したときにキーを標準の大きさに戻す」構成と、「表示制御部は、」「標準の大きさに戻す」構成
引用発明の「入力装置」は、補正発明と同様に「タッチパネル式入力装置」といい得るものである。
　したがって、両者は、以下の一致点、相違点を有する。
＜一致点＞
「キーボードを表示して入力を行うタッチパネルと、
　前記タッチパネル上にキーを表示する表示制御部と、
　前記タッチパネル上に指が接触した位置を検知する接触検知部と、
　接触した位置から入力されたキーを判定する入力判定部と、
　前記タッチパネルに対して離接する指の位置および前記タッチパネルからの距離を検知する３次元センサとを備え、
　前記表示制御部は、
　　前記３次元センサが接近する指を検知したときにその位置を中心としてキーを拡大して表示すると共に、後にキーを標準の大きさに戻し、
　前記接近する指を検知したときにその位置を中心としてキーを拡大して表示する際には、当該位置を含む前記キーボードの一部に含まれる複数のキーのそれぞれを拡大して表示し、当該キーボードの他部に含まれる複数のキーは拡大しない
ことを特徴とするタッチパネル式入力装置。」
　
＜相違点１＞
　「表示制御部」が「後にキーを標準の大きさに戻」すのが、補正発明では、「前記接触検知部が指の接触を検知したとき」であるのに対し、引用発明では、「ディスプレイ装置１０１」から、「指を離した時点で選択候補として選定されていたキーが選択されて入力」されるときである点。
＜相違点２＞
　「接近する指を検知したときにその位置を中心としてキーを拡大して表示する際に」、補正発明では、「当該位置を含む前記キーボードの一部に含まれる複数のキーのそれぞれを同じ拡大率で拡大して表示」しているのに対し、引用発明は、「指からディスプレイ装置１０１までの距離が短いほどキー２０２ａの表示サイズ（または拡大率）が大きくなり、また、接近座標からキー２０２ａまでの距離が短いほどキー２０２ａの表示サイズ（または拡大率）が大きくなる」ものである点。
ウ．判断
・相違点１について
　周知文献１には、通常リリース時点で文字が確定するところを、タッチ時点で確定することが記載されており、引用発明において、指を離して、開放の直前に選択されていたキーを入力とすることに代え、上記周知技術１を採用し、接触検知部が指の接触を検知したときにキーを選択して入力するようにすることは、当業者が容易に想到し得ることである。
　そして、引用発明は、「ユーザの指がディスプレイ装置１０１に接触した場合は、指が移動するにつれて、指の周辺のキーが大きく（拡大率が大きく）、遠方のキーが小さく（拡大率が小さく）なり、指を離した時点で選択候補として選定されていたキーが選択されて入力される」ものであって、「ユーザがタッチパネル装置１０２から指を離すと、開放の直前に選択候補として選定されていたキー２０２ａがある場合、ソフトウェアキーボード制御部１０３は、選択候補のキー２０２ａに対応する文字が選択されて入力されたと判断し、ワープロソフトウェア等に入力文字を渡し、ソフトウェアキーボード制御部１０３は、ソフトウェアキーボード２０２の配置をデフォルトに戻す」（引用文献１の［０１０３］〜［０１０９］の記載参照。）ものといえるから、引用発明において、上記周知技術１を採用し、接触検知部が指の接触を検知したときにキーを選択して入力するようにする際に、接触検知部が指の接触を検知したときにキーを標準の大きさに戻すことは、単なる設計事項にすぎない。
・相違点２について
　引用発明は、「指からディスプレイ装置１０１までの距離が短いほどキー２０２ａの表示サイズ（または拡大率）が大きくなり、また、接近座標からキー２０２ａまでの距離が短いほどキー２０２ａの表示サイズ（または拡大率）が大きくなる」ようにするのであるから、引用発明において、上記周知技術２を適用することにより、接近する指を検知したときにその位置を中心としてキーを拡大して表示する際に、当該位置を含む前記キーボードの一部に含まれる複数のキーのそれぞれを同じ拡大率で拡大して表示し、当該キーボードの他部に含まれる複数のキーは拡大しないようにすることは、当業者が容易になし得ることである。
　そして、補正発明の奏する作用効果も、引用発明及び周知技術１、２から、当業者であれば予想できる範囲内のものである。
　したがって、補正発明は、引用発明および周知技術１、２に基づき当業者が容易に発明をすることができたものであるから、特許法第２９条第２項の規定により、特許出願の際、独立して特許を受けることができない発明である。
エ．結論
　以上のとおり、本件補正は，特許法１７条の２第６項で準用する同法１２６条７項の規定に違反するものであり、同法１５９条１項で準用する同法５３条１項の規定により却下されるべきものである。 　
第３　本願発明について
（１）本願発明
　以上のとおり、平成２８年７月４日付けの手続補正は却下されたので、本願発明は、平成２７年１２月１１日付けの手続補正書の特許請求の範囲の請求項１を引用する請求項５に記載された以下のとおりのものであると認められる。
「【請求項１】
　キーボードを表示して入力を行うタッチパネルと、
　前記タッチパネル上にキーを表示する表示制御部と、
　前記タッチパネル上に指が接触した位置を検知する接触検知部と、
　接触した位置から入力されたキーを判定する入力判定部と、
　前記タッチパネルに対して離接する指の位置および前記タッチパネルからの距離を検知する３次元センサとを備え、
　前記表示制御部は、
　　前記３次元センサが接近する指を検知したときにその位置を中心としてキーを拡大して表示すると共に、前記接触検知部が指の接触を検知したときにキーを標準の大きさに戻すことを特徴とするタッチパネル式入力装置。
【請求項５】
　前記表示制御部は、キーを拡大して表示する際に、部分的に拡大して表示するか、または、全体的に拡大して表示することを特徴とする請求項１から４のいずれか１項に記載のタッチパネル式入力装置。」
　
（２）引用文献・引用発明
　引用文献・引用発明は、前記「第２　平成２８年７月４日付の手続補正についての補正却下の決定」、［補正却下の決定の結論］、「（２）補正の適否」、「ア．引用文献」の「（１）引用文献・引用発明」の欄で説明したとおりである。
（３）対比
　本願発明と引用発明を対比する。
（ア）引用発明の「タッチパネル装置１０２」は、「ディスプレイ装置１０１上に設置され」ており、「ディスプレイ装置１０１」には、「ソフトウェアキーボード２０２が表示され」、「ソフトウェアキーボード２０２」の「各キー２０２ａ」で入力を行うことは明かであるから、引用発明の「ソフトウェアキーボード２０２」、「ディスプレイ装置１０１」と「タッチパネル装置１０２」は、それぞれ、本願発明の「キーボード」、「キーボードを表示して入力を行うタッチパネル」に相当する。
（イ）引用発明の「表示制御部１０４」は、「各キー２０２ａの表示を、キーごとの座標情報およびサイズ情報に基づいて変更」しているから、本願発明の「前記タッチパネル上にキーを表示する表示制御部」に相当する。
（ウ）引用発明の「タッチパネル装置１０２」は、本願発明の「前記タッチパネル上に指が接触した位置を検知する接触検知部」に相当する。
（エ）引用発明の「接近検出装置９０１」は、「例えば、カメラによって実現され、ディスプレイ装置１０１に接近する指（物体）とディスプレイ装置１０１との距離と、ディスプレイ装置１０１上の位置のうち、指と最も近い位置（座標）を、ディスプレイ装置１０１上の指示された位置（座標）として検出」するから、本願発明の「前記タッチパネルに対して離接する指の位置および前記タッチパネルからの距離を検知する３次元センサ」に相当するといえる。
（オ）引用発明の「接近座標情報にて示される近接座標がディスプレイ装置１０１に表示されているソフトウェアキーボード２０２上の座標であるかどうかを判定し、接近座標がソフトウェアキーボード２０２上にある場合、キー２０２ａの表示サイズについて、ユーザの指からディスプレイ装置１０１までの距離と、接近座標から各キー２０２ａまでの距離に応じて変更、例えば、指からディスプレイ装置１０１までの距離が短いほどキー２０２ａの表示サイズ（または拡大率）が大きくなり、また、接近座標からキー２０２ａまでの距離が短いほどキー２０２ａの表示サイズ（または拡大率）が大きくなるように、キー２０２ａの表示サイズを計算し、」「キー２０２ａごとに、表示位置を表す座標情報と、表示サイズを表すサイズ情報とを、表示制御部１０４に渡」す「ソフトウェアキーボード制御部１０３Ｄ」と、「各キー２０２ａの表示を、キーごとの座標情報およびサイズ情報に基づいて変更し」、「指を離した時点で選択候補として選定されていたキーが選択されて入力され」ると「ソフトウェアキーボード２０２の配置をデフォルトに戻す」「表示制御部１０４」とは、本願発明の「前記３次元センサが接近する指を検知したときにその位置を中心としてキーを拡大して表示すると共に、前記接触検知部が指の接触を検知したときにキーを標準の大きさに戻し、」「キーを拡大して表示する際に、部分的に拡大して表示するか、または、全体的に拡大して表示する」「表示制御部」と、「前記３次元センサが接近する指を検知したときにその位置を中心としてキーを拡大して表示すると共に、後にキーを標準の大きさに戻し、キーを拡大して表示する際に、部分的に拡大して表示するか、または、全体的に拡大して表示する」「表示制御部」である点では共通するといえる。
（カ）引用発明の「入力装置」は、本願発明と同様に「タッチパネル式入力装置」といい得るものである。
　したがって、両者は、以下の一致点、相違点を有する。
＜一致点＞
「キーボードを表示して入力を行うタッチパネルと、
　前記タッチパネル上にキーを表示する表示制御部と、
　前記タッチパネル上に指が接触した位置を検知する接触検知部と、
　接触した位置から入力されたキーを判定する入力判定部と、
　前記タッチパネルに対して離接する指の位置および前記タッチパネルからの距離を検知する３次元センサとを備え、
　前記表示制御部は、
　　前記３次元センサが接近する指を検知したときにその位置を中心としてキーを拡大して表示すると共に、後にキーを標準の大きさに戻し、
　キーを拡大して表示する際に、部分的に拡大して表示するか、または、全体的に拡大して表示することを特徴とするタッチパネル式入力装置。」
　
＜相違点＞
　「表示制御部」が「後にキーを標準の大きさに戻」すのが、本願発明では、「前記接触検知部が指の接触を検知したとき」であるのに対し、引用発明では、「ディスプレイ装置１０１」から、「指を離した時点で選択候補として選定されていたキーが選択されて入力」されるときである点。
（４）判断
　上記相違点は、前記「第２　平成２８年７月４日付の手続補正についての補正却下の決定」、［補正却下の決定の結論］、「（２）補正の適否」、「イ．対比」の欄で説明した＜相違点１＞と同じであるから、同様の理由により、本願発明は、引用発明および周知技術１に基づき当業者が容易に発明をすることができたものである。
（５）むすび
　本願発明は、引用発明および周知技術１に基づき当業者が容易に発明をすることができたものであるから、特許法第２９条第２項の規定により特許を受けることができない。
　よって、結論のとおり審決する。